(57)【特許請求の範囲】
【請求項１】
画像および／または音声信号の入力ディジタル・データストリーム（１）を受信する消費者用の電子機器であって、
前記入力ディジタル・データストリームはさらに権限情報（２）を含むものであり、
前記入力ディジタル・データストリームから前記権限情報を取り出す取出し部（４０５）と、
暗号解読部（４０１）と、
暗号化部（４０３）と、
暗号解読されたまたは暗号化された画像および／または音声信号の出力ディジタル・データストリームを供給する出力部と、
を含み、
前記電子機器は、前記権限情報を前記出力ディジタル・データストリーム中に含ませるように構成されており、
前記入力ディジタル・データストリームが暗号化されたまたは非暗号の画像および／または音声信号を含み、
前記権限情報は、暗号化を無効にするタイプのまたは暗号化を有効にするタイプの暗号命令信号を含み、
前記取出し部は、前記権限情報から前記暗号命令信号を取り出すよう構成されており、
前記入力ディジタル・データストリームが暗号化された画像および／または音声信号を含み、かつ前記暗号命令信号が暗号化を無効にするタイプのものである場合に、前記暗号化部は、前記暗号命令信号が暗号化を無効にするタイプのものであることに応答して、前記入力ディジタル・データストリームの画像および／または音声信号を暗号化しないようにして、非暗号の画像および／または音声信号の出力ディジタル・データストリームを生成するよう構成されており、
前記入力ディジタル・データストリームが暗号化された画像および／または音声信号を含み、かつ前記暗号命令信号が暗号化を有効にするタイプのものである場合に、前記暗号化部は、前記暗号命令信号が暗号化を有効にするタイプのものであることに応答して、前記入力ディジタル・データストリームの暗号解読された画像および／または音声信号を暗号化して、暗号化された画像および／または音声信号の出力ディジタル・データストリームを生成するよう構成されており、
前記入力ディジタル・データストリームが非暗号の画像および／または音声信号を含み、かつ前記暗号命令信号が暗号化を有効にするタイプのものである場合に、前記暗号化部は、前記暗号命令信号が暗号化を有効にするタイプのものであることに応答して、前記入力ディジタル・データストリームの画像および／または音声信号を暗号化して、暗号化された画像および／または音声信号の出力ディジタル・データストリームを生成するよう構成されており、
前記入力ディジタル・データストリームが非暗号の画像および／または音声信号を含み、かつ前記暗号命令信号が暗号化を無効にするタイプのものである場合に、前記暗号化部は、前記暗号命令信号が暗号化を無効にするタイプのものであることに応答して、前記入力ディジタル・データストリームの画像および／または音声信号を暗号化しないようにして、非暗号の画像および／または音声信号の出力ディジタル・データストリームを生成するよう構成されているものであること
を特徴とする、電子機器。（図１）
【発明の詳細な説明】
【技術分野】
【０００１】
本発明は、画像および／または音声（音響）情報のディジタル信号の入力ディジタル・データストリームを受信する電子機器に関する。
【０００２】
実施形態は、音声（音響）および／または画像コンテンツ（内容）を再送信（Weiteruebertragen：転送、再伝送）し並びに処理および／または再生および／または蓄積（Speichern）する方法および装置（Einrichtung：設備）に関し、また音声および／または画像コンテンツを処理および／または再生および／または蓄積する機器（Geraet：装置）に関する。
【背景技術】
【０００３】
保護された音声（音響）および／または画像コンテンツ（内容）を含む予め記録された記録媒体の、パーソナル・コンピュータ・プログラムによる不法（illegale：非合法的）コピーに対して、その不法コピーを困難にしまたは防止する多くの技術的防御手段が提供されている。このようなコピー保護システムに対して、“コンテンツの保護およびコピー管理（ＣＰＣＭ：Content Protection and Copy Management）”システムは、或る指定されたライセンス（許可）条項および条件（license terms and conditions）においてのみそのコンテンツの記録媒体の使用を許可する。ＣＰＣＭシステムの基本的な思想（アイディア）は、そのコンテンツの許可されたそれぞれの使用に対して別々の信号を与えることであり、その信号は、画像および／または音声コンテンツに付加され、適した受信機によって評価される。画像および／または音声の米国制作業者（プロデューサ）は、コンテンツのコピーのみならず、最小のディテール（精細度、詳細）にまでいたる前記コンテンツを用いて実行される任意の処理（動作、操作）を制御する相異なる最大５５までの信号伝送（シグナリング）を想定しており、それによって、“許可された領域”内でのみ（即ち、許可された区域（エリア）、例えば許可されたユーザの宅内（家庭内）でのみ）のスペースに制限されたコンテンツの使用が許可される。
【０００４】
しかし、消費者（コンシューマ）の電子機器におけるそのような非常に多くの信号の変換は複雑であり、コストを上昇させることが予想される。消費者の電子機器のみならず将来のＰＣにおいても適した方法が実現されよう。既に使用されている方法は、いわゆる条件付きアクセス（Conditional Access：ＣＡ）システムであり、このシステムによってペイＴＶ（有料ＴＶ：Pay-ＴＶ）プロバイダは、スマート・カードを介して、暗号化（verschluesselt：コード化、符号化）された形式で送信された画像および／または音声コンテンツへのアクセスが制御される。しかし、これらのシステム単独では、ＣＰＣＭシステムの拡張された要求に対しては不充分であり、適当な形態で増強（拡張）する必要がある。スマート・カードによって暗号化されたコンテンツが機器（デバイス）の出力において利用可能になると直ぐに、そのコンテンツはＣＡシステムの排他的（独占的）使用の場合に制限なしで再生し、処理しまたは蓄積（記録）することが可能になる。その拡張は所謂マクロビジョン（macrovision）信号であり、その信号は、テレビジョン受像機のスクリーン上にペイＴＶ放送の再生のみを許可し、ＶＣＲ（ビデオカセット・レコーダ、ＶＴＲ）での記録は許可しないもの、と想定される。
【０００５】
一方、暗号化（Vershcuesselung：encoding、コード化、符号化）にのみ（排他的に）基づくＣＰＣＭシステムは、公共放送会社にとって、および“無料放送サービス（Free-to-Air）”放送プロバイダにとっても、基本的に（原則として）許容できない。これらの放送会社によって放送されるコンテンツは将来においても非暗号化（unverchluesselt：unencoded）状態を維持しなければならず、制限なしに記録が可能でなければならない。消費者の宅内の種々の再生装置相互間のインタフェースへの転送（伝送）もまた非暗号形式で実現されるべきである。しかし、無線（ワイヤレス）ＬＡＮのような無線システムでは、消費者の宅内で伝送されたコンテンツの暗号化は、近隣者による傍受を防止するために有意義である（有効である、意味がある）。特に、インターネットへのアクセス機能を有するＰＣ（パーソナル・コンピュータ）および放送受信用のセットトップ・ボックス（set-top boxes）は、ケーブルによる配線の費用なしにそのような無線ホーム・システムを使用して消費者の宅内でその他の装置との間にネットワークを形成する。
【先行技術文献】
【特許文献】
【０００６】
【特許文献１】米国特許出願公開第２００３／０７６９５５号明細書
【発明の開示】
【０００７】
本発明の目的は、暗号化（verchluesselten）されたまたは非暗号（unverchluesselten）の音声および／または画像コンテンツの送信および受信のための単一システム内で末端のユーザによって自由にアクセスできるコンテンツの非暗号化処理および／または再生および／または蓄積（記録）のために公共放送会社および“無料放送システム（Free-to-Air）”プログラム（番組）プロバイダの要求に適合する手段を提供することである。
【０００８】
この目的は、特別な使用許可情報（Nutzungsberechtigungsinformation：use authorization information、使用権限情報）が、受信信号中に含まれており、また音声および／または画像コンテンツが受信時に非暗号形式で末端（エンド）ユーザ（最終使用者）にとって利用可能であることを示し、さらにその音声および／または画像コンテンツがオプションとして（任意選択的に）カスケード（順次送信、連結、縦続）され暗号化されて送信された場合においても付加状態を維持し；さらに、その特別な使用許可情報によって、暗号形式で転送（Weiteruebertragen：伝送）された画像および／または音声コンテンツを処理および／または再生および／または蓄積（記録）するときに転送カスケード（従続接続段）の少なくとも最後（端部、最後の段）までにおいてその画像および／または音声コンテンツが暗号解読（復号）されるような、上述のタイプの方法および装置（デバイス）によって実現される。
【０００９】
実施形態による方法および装置で使用される機器（Geraet：装置）が実施形態３に示されている。
【００１０】
本発明は、特別な使用許可情報と共に非暗号形式で末端のユーザが自由に利用（入手）可能な画像および／または音声コンテンツを提供するという思想に基づくものであり、その特別な使用許可情報は、その伝播路の途中でまたは伝播路（伝送路）に沿って複数回もの暗号化および暗号解読（Entschluesselung：復号）されるときにも画像および／または音声コンテンツに“付加（添付）（klebt）”された状態にあるか、またはその情報が音声および／または画像コンテンツとは独立して伝送／蓄積されてもそのコンテンツに論理的にリンク（結合、連結）した状態を維持しており、また、それによって、暗号化が行われる場合に末端のユーザにおいてその画像および／または音声コンテンツの暗号解読（復号）を、使用可能で有効な様々な場所、少なくともその伝播路の末端までにおいて行わせる。
【図面の簡単な説明】
【００１１】
【図１】図１は、本発明による消費者用電子機器のブロック回路図である。
【図２】図２は、暗号または非暗号の画像信号および／または音声信号を受信し、これらを図１による消費者用電子機器に送信するための、末端ユーザの宅内に存在する島状（孤立）ネットワークのブロック回路図である。
【図３】図３は、任意の種類の伝送ネットワークから受信した画像および／または音声コンテンツの再送信のための受信機とメモリのカスケード接続のブロック回路図である。
【発明を実施するための形態】
【００１２】
以下、図示の実施形態を参照して本発明をさらに詳細に説明する。
１．実施形態において、任意の種類の伝送ネットワークから暗号または非暗号形式で受信した信号の画像および／または音声コンテンツを転送、および処理および／または再生および／または蓄積する方法において、
前記受信した信号は前記画像および／または音声コンテンツの許可された使用を示す使用許可情報（２）を含み、
前記使用許可情報（２）は、前記画像および／または音声コンテンツが受信時に非暗号形式で末端ユーザにとって利用可能であるべきことを通知する非暗号化命令（３）を含み、
前記使用許可情報（２）は、前記画像および／または音声コンテンツのオプションとしてカスケード化（連結）された暗号化転送の場合でも、前記画像および／または音声コンテンツに付加された状態を維持し、または前記画像および／または音声コンテンツと同時に（並行して）物理的に分離して送信される場合でも、適当な手段によって論理的にリンク（結合）された状態を維持し、
さらに、前記非暗号化命令（３）は、暗号形式で転送された前記画像および／または音声コンテンツを処理および／または再生および／または蓄積するときに、転送カスケード（縦続接続）の最後の段またはそれより前の段において前記画像および／または音声コンテンツの暗号解読（復号）を行わせる。
２．実施形態において、任意の種類の伝送ネットワークから暗号または非暗号形式で受信した信号の画像および／または音声コンテンツを転送、および処理および／または再生および／または蓄積する装置において、
前記受信した信号は前記画像および／または音声コンテンツの許可された使用を示す使用許可情報（２）を含み、
前記使用許可情報（２）は、前記画像および／または音声コンテンツが受信時に非暗号形式で末端ユーザにとって利用可能であるべきことを通知する非暗号化命令（３）を含み、
前記使用許可情報（２）は、前記画像および／または音声コンテンツのオプションとしてカスケード化された暗号化転送の場合でも付加された状態を維持し、または前記画像および／または音声コンテンツと同時に送信される場合でも適当な手段によって論理的にリンクされた状態を維持するが前記画像および／または音声コンテンツから物理的に分離しており、
さらに、前記非暗号化命令（３）は、暗号形式で転送された前記画像および／または音声コンテンツを処理および／または再生および／または蓄積するときに、転送カスケードの最後の段またはそれより前の段において分析されて、前記画像および／または音声コンテンツの暗号解読（復号）を行わせるようにする。
３．実施形態において、任意の種類のネットワークから暗号または非暗号形式で受信され前記１に記載の方法に従って暗号形式で転送される信号の画像および／または音声コンテンツの処理および／または再生および／または蓄積する機器において、
前記受信した信号は前記画像および／または音声コンテンツの許可された使用を示す使用許可情報（２）を含み、
前記使用許可情報（２）中に含まれる非暗号化命令（３）は、暗号形式で転送された前記画像および／または音声コンテンツを処理および／または再生および／または蓄積するときに、読み出されて分析されて、前記画像および／または音声コンテンツの暗号解読（復号）が行われるようにする。
【００１３】
図１に示す消費者用電子機器４００は、図示されていない伝送ネットワークから、暗号形式または非暗号形式の画像および／または音声コンテンツ１と使用許可情報２とを受信する。本発明によれば、使用許可情報２は、常に画像および／または音声コンテンツ１に付加された状態を維持しているか、またはこれが画像および／または音声コンテンツ１と共に同時にまたは並行して伝送されたとしても適した手段によってそのコンテンツに論理的にリンクされた状態を維持しているが、その使用許可情報２は、そのコンテンツ１が末端ユーザの再生または蓄積（記録）装置へのその伝送路の途中で（に沿って）暗号化または暗号解読（復号）されているか否かに関係なくその画像および／または音声から物理的に分離される。その使用許可情報２は、画像および／または音声コンテンツが暗号化されている場合には各送信または転送における少なくとも終了位置までにおいて画像および／または音声コンテンツの暗号解読（復号）を行わせる。
【００１４】
図１における典型例では、機器４００への暗号化された（verschluesseltes）入力信号はその機器内に設けられた暗号解読器（Entschluesseler：復号器）４０１に供給され、そこで暗号解読（復号）される。非暗号の（unverschluesseltes：暗号化されていない）入力信号は、変化することなく暗号解読器４０１中を通過する（durchgeschleift）。暗号解読器４０１の出力における非暗号（平文）の画像および音声コンテンツは、後続段４０２で処理されて、必要に応じてメモリ４０４に格納（蓄積）される。その処理された画像および／または音声コンテンツは、制御入力を介して分析器（Auswerter：評価器、判定器）４０５に接続された暗号化器（Vershluesseler：符号化器）４０３に供給される。分析器４０５は、送信（伝送）された使用許可情報２全体を分析（判定、評価）し、そこに含まれ得る非暗号化（nicht zu verschluesseln：non-encoding、暗号化させない）命令３を濾波して取り出す。この命令３は、暗号化器４０３に送られ、そこで暗号化を阻止する。従って、暗号化器４０３は、使用許可情報２中に命令３が存在しない場合にのみその処理された画像および／または音声コンテンツを暗号化する。暗号化器４０３の出力は、次いで使用許可情報２が付加された機器４００の出力を形成する。
【００１５】
図２は、末端ユーザの宅内の無線島状（Inselnetz：ローカルエリア、孤立）ネットワーク１０を示している。そのネットワーク１０はＷ−ＬＡＮ送信機２００およびＷ−ＬＡＮ受信機３００を含んでいる。Ｗ−ＬＡＮ送信機２００は、インタフェースを介して入力段１００に結合されており、その入力段１００は任意の種類の伝送ネットワークからの、例えばインターネットまたは放送ネットワークからの使用許可情報２とともに暗号形式または非暗号形式の画像および／または音声コンテンツを受信する。入力段１００は、主（１次）受信機およびオプションとして（必要に応じて）暗号解読器（復号器）１００を含んでいる。
【００１６】
Ｗ−ＬＡＮ送信機２００は暗号形式の画像および／または音声コンテンツ１をＷ−ＬＡＮ受信機３００に無線で送信する。Ｗ−ＬＡＮ受信機３００は、他のインタフェースを介して消費者用電子機器４００に接続され、その機器は図１に従って実施形態化（具体化）されてもよい。使用許可情報２は、島状ネットワーク１０を通って転送される（hindurchgeschleift）か、または使用許可情報２が画像および／または音声コンテンツ１と同時に送信されるとしても適当な手段によって論理的にリンクされた状態を維持するが、その画像および／または音声コンテンツから物理的に分離され、それによって使用許可情報２は転送された画像および／または音声コンテンツと共に消費者用電子機器４００に送信される。
【００１７】
図３は、暗号解読器および暗号化器を有する消費者用電子機器４００、５００および６００のカスケード（縦続）接続によって画像および／または音声コンテンツ１を使用許可情報２に結合する原理を示している。暗号解読（復号）および／または暗号化（符号化）が各機器１００、４００または５００内で行われるか否かには関係なく、各消費者用電子機器４００および５００と同様に入力段１００の出力において、画像および／または音声コンテンツ１は使用許可情報２とともに存在する（供給される）。従って、図示された機器（デバイス）のカスケード（縦続接続）中の最後段の機器６００は、使用許可情報２と共に画像および／または音声コンテンツ１を受信し、その使用許可情報２は、その間にそのコンテンツ１がどこかで暗号化されていれば、機器６００内でその画像および／または音声コンテンツ１の暗号解読（復号）を行わせる。
【符号の説明】
【００１８】
＃１  非暗号形式の画像及び／又は音声コンテンツ
＃２  使用許可情報
＃１＋＃２  暗号形式の画像及び／又は音声と使用許可情報
＃３  非暗号化命令
１０  島状ネットワーク
１００  主受信機＋オプションの復号器
２００  Ｗ−ＬＡＮ送信機
３００  Ｗ−ＬＡＮ受信機
４００  オプションとして復号器及び／又は暗号化器を有する消費者用電子機器
４０１  デコーダ
４０２  処理および／または記録
４０３  エンコーダ
４０４  メモリ
４０５  分析器
５００  オプションとして復号器及び／又は暗号化器を具え、暗号形式でのみ蓄積する消費者用電子装置
【図１】
0005557348.tif 000002
【図２】
0005557348.tif 000003
【図３】
0005557348.tif 000004